【手続補正書】
【提出日】平成18年11月24日(2006.11.24)
【手続補正１】
【補正対象書類名】特許請求の範囲
【補正対象項目名】全文
【補正方法】変更
【補正の内容】
【特許請求の範囲】
【請求項１】
複数個の物品を吊り下げた状態で列状に保持すると共にこの保持している複数個の物品を列方向に搬送して、予め設定されている払出位置において保持状態を一個ずつ解除して落下させることにより物品の払い出しを行う物品払出機構であって、駆動プーリ部材と、少なくとも一個の従動プーリ部材と、複数個の物品を吊り下げた状態で保持・搬送する物品搬送チェーン部材と、この物品搬送チェーン部材に吊り下げられている物品の保持状態を予め設定されている払出位置において解除する解除部材とを備える物品払出機構において、
前記物品搬送チェーン部材は、この駆動プーリ部材および従動プーリ部材間に巻回されて駆動プーリ部材の駆動によって水平面内において走行されるとともに、その下部に設けた物品保持部材により物品を一個ずつ保持する複数個の物品保持具をチェーン状に連結することによって構成される
ことを特徴とする物品払出機構。
【請求項２】
前記物品保持具は略方形状に形成され、前後に隣接する物品保持具を連結するための嵌合部と嵌挿部とをその上部に備え、該嵌合部と該嵌挿部は前記物品搬送チェーン部材の進行方向において同一水平面上に設けられる
ことを特徴とする請求項１に記載の物品払出機構。
【請求項３】
前記物品保持具は、前記物品保持部材の下方をカバーする位置とこの物品保持部材の下方を開放する位置との間で揺動自在に保持具本体に取り付けられた揺動レバーを更に備えている
ことを特徴とする請求項１又は２に記載の物品払出機構。
【請求項４】
前記駆動プーリ部材と前記従動プーリ部材間の距離を可変に設定する
ことを特徴とする請求項１に記載の物品払出機構。
【請求項５】
請求項１乃至４の何れか１項に記載の物品払出機構を有する物品払出装置。
【請求項６】
複数個の物品保持具により複数個の物品を吊り下げた状態で列状に保持すると共にこの保持している複数個の物品を列方向に搬送して、予め設定されている払出位置において保持状態を一個ずつ解除して落下させることにより物品の払い出しを行う物品払出機構に用いられる物品保持具において、
前記物品保持具は物品搬送のためチェーン状に連結される前後の物品保持具を水平面内において互いに連結する略方形状の保持具本体を有する
ことを特徴とする物品保持具。
【請求項７】
前記保持具本体に物品搬送方向に対して平行な垂直面内に揺動自在に取り付けられた物品保持部材を備え、
前記保持具本体は、前後に隣接する物品保持具を連結するための嵌合部と嵌挿部とをその上部に備え、該嵌合部と該嵌挿部は該物品搬送方向において同一水平面上に設けられる
ことを特徴とする請求項６に記載の物品保持具。
【請求項８】
前記物品保持具は、前記物品保持部材の下方をカバーする位置とこの物品保持部材の下方を開放する位置との間で揺動自在に保持具本体に取り付けられた揺動レバーを更に備えている
ことを特徴とする請求項６に記載の物品保持具。
【請求項９】
前記揺動レバー部材は前記物品保持部材の下方をカバーする位置において保持具本体に係合することによりその位置に保持され、この位置から、保持している物品の停止状態を解除するために物品保持部材が回動される方向と反対方向に回動されることによって物品保持部材の下方を開放する
ことを特徴とする請求項８に記載の物品保持具。
【請求項１０】
前記揺動レバー部材はその上端部が保持具本体に対して物品搬送方向と直角な水平軸を中心に揺動自在に連結され、下部部分が物品保持部材の先端部が伸びる方向と反対方向に伸びるように湾曲している
ことを特徴とする請求項８又は９に記載の物品保持具。
【手続補正２】
【補正対象書類名】明細書
【補正対象項目名】００１２
【補正方法】変更
【補正の内容】
【００１２】
すなわち、この景品払出装置１に従来の景品払出機構３を使用する場合には、この景品払出機構３が、景品Ｇの吊り下げと払出位置Ｐへの搬送を円盤状に構成された回転体３Ａによって行うために、景品Ｇの搬送経路が常に円形を描くこととなり、景品払出装置１の景品収納スペース２Ａ内における回転体３Ａの配置が制約されたり景品払出装置１の構成の自由度が制約を受けてしまうという問題が発生する。
【手続補正３】
【補正対象書類名】明細書
【補正対象項目名】００１７
【補正方法】変更
【補正の内容】
【００１７】
この発明（請求項１に記載の発明）による物品払出機構は、上記目的を達成するために、複数個の物品を吊り下げた状態で列状に保持すると共にこの保持している複数個の物品を列方向に搬送して、予め設定されている払出位置において保持状態を一個ずつ解除して落下させることにより物品の払い出しを行う物品払出機構であって、駆動プーリ部材と、少なくとも一個の従動プーリ部材と、複数個の物品を吊り下げた状態で保持・搬送する物品搬送チェーン部材と、この物品搬送チェーン部材に吊り下げられている物品の保持状態を予め設定されている払出位置において解除する解除部材とを備える物品払出機構において、前記物品搬送チェーン部材は、この駆動プーリ部材および従動プーリ部材間に巻回されて駆動プーリ部材の駆動によって水平面内において走行されるとともに、その下部に設けた物品保持部材により物品を一個ずつ保持する複数個の物品保持具をチェーン状に連結することによって構成されることを特徴としている。
【手続補正４】
【補正対象書類名】明細書
【補正対象項目名】００２１
【補正方法】変更
【補正の内容】
【００２１】
この発明による物品払出機構によれば、物品を吊り下げた状態で保持するとともにその物品を払出位置に搬送する物品搬送チェーン部材が、それぞれ物品を一個ずつ保持する物品保持具がチェーン状に連結されることによって構成されていることにより、従来の物品払出機構と比べて、物品の搬送経路の設定の自由度が大幅に増大する。
【手続補正５】
【補正対象書類名】明細書
【補正対象項目名】００５２
【補正方法】変更
【補正の内容】
【００５２】
そして、この物品搬送チェーン１３は、隣接する物品保持具１３Ａの本体１３Ａａ間に位置する連結部１３Ａｂが、駆動プーリ１１の外周部の等角度間隔位置に形成された凹部１１Ｂと従動プーリ１２の外周部の等角度間隔位置に形成された凹部１２Ｂに嵌合された状態で、駆動プーリ１１と従動プーリ１２間に巻回されていて、この駆動プーリ１１の凹部１１Ｂおよび従動プーリ１２の凹部１２Ｂと物品保持具１３Ａの連結部１３Ａｂとの嵌合によって、物品搬送チェーン１３が駆動プーリ１１の駆動回転によって、その搬送方向（この例では図４において時計回り方向）に走行されるようになっている。
【手続補正６】
【補正対象書類名】明細書
【補正対象項目名】００７０
【補正方法】変更
【補正の内容】
【００７０】
さらに、上記物品払出機構１０によれば、物品搬送チェーン１３を構成する各物品保持具１３Ａが、それぞれ、本体１３Ａａに対して揺動自在に取り付けられた揺動レバー１３Ａｆを有し、この揺動レバー１３Ａｆが、物品の吊下用係合部Ｇ１が挿入される第２スリット部１３Ａａ４の下端開口部をカバーするようになっているので、物品を装着する作業者は、物品を物品保持具１３Ａに装着する際に、この揺動レバー１３Ａｆを操作して第２スリット部１３Ａａ４の下端開口部を開放した後に物品Ｇ１の吊下用係合部Ｇ１ａを第２スリット部１３Ａａ４内に挿入していくことになって、物品を装着する作業が従来のものと比べて丁寧にならざるを得ず、これによって、物品の装着時に物品保持具１３Ａが破損するのを防止することが出来るようになる。